(57)【要約】【課題】各種イベントへの参加や乗物への乗車・搭乗等の記念として適した記念チケットの印刷が可能な記念チケット印刷システム・印刷方法を提供する。【解決手段】プリント装置が、購入チケット識別番号を含む電子チケットデータを携帯端末から受信した際に、予約受付サーバーへこのデータを送信する手段／手順と、受信した予約受付サーバーが、このデータに対応付けられた文字データ・画像データを判別するデータ判別手段／手順と、判別されたデータをプリント装置へ送信する手段／手順と、プリント装置の表示部に表示するデータ表示手段／手順と、この表示されたデータとその他のデータを任意に組み合わせて編集を行なうデータ編集手段／手順と、編集されたデータを印刷する印刷手段／手順と、を備える。【選択図】  図２
2005011041.tif 000002
【特許請求の範囲】
【請求項１】
携帯端末からコンサート等のチケットの予約を受付可能な予約受付サーバーと、予約受付サーバーから携帯端末に送信されたデータに基づいてチケットの印刷を行なうプリント装置とを備えた記念チケット印刷システムであって、
予約受付サーバーが、携帯端末からのコンサート等のイベント等のチケット予約を受付ける予約受付手段と、
前記予約受付手段により、予約受付サーバーがこの予約を受付けた際に、少なくとも購入チケット識別番号を含む電子チケットデータを携帯端末に送信する送信手段と、
プリント装置が、この電子チケットデータを携帯端末から受信した際に、予約受付サーバーへ電子チケットデータを送信する手段と、
この電子チケットデータを受信した予約受付サーバーが、プリント装置から送信された電子チケットデータに対応付けられた文字データ及び／又は画像データを判別するデータ判別手段と、
前記データ判別手段により判別された文字データ及び／又は画像データをプリント装置へと送信する手段と、
前記送信する手段により送信されたデータを受信し、プリント装置の表示部に表示するデータ表示手段と、
前記データ表示手段によりプリント装置の表示部に表示された文字データ及び／又は画像データと、携帯端末から赤外線データ送信された予め携帯端末の記憶部に記憶された電子チケットデータ以外の画像データ及び／又は文字データ、プリント装置のタッチパネル等の入力手段により入力された文字データ、プリント装置のタッチパネル等の入力手段により選択された画像データのうち、少なくともいずれか１つ、又は、これら任意の組み合わせにより編集を行なうデータ編集手段と、
前記データ編集手段により編集されたデータを所定のシール用紙に印刷する印刷手段と、
を備えたことを特徴とする記念チケット印刷システム。
【請求項２】
前記データ表示手段により表示される文字データ及び／又は画像データ、及び、前記印刷手段により印刷される文字データ及び／又は画像データには、購入チケット識別番号やバーコード等の該電子チケット認証時に用いる文字データ及び／又は画像データが表示又は印刷されないことを特徴とする請求項１に記載の記念チケット印刷システム。
【請求項３】
前記印刷手段により印刷処理が行なわれる際に、その購入チケット識別番号やバーコード等の該電子チケット認証時に用いる文字データや該電子チケット認証時に用いる画像データのうち、少なくともいずれか１つが含まれた記念チケットの印刷が初回の印刷であるか否かの判別を行なう判別手段を備え、
この判別手段により初回の印刷であると判別された場合には、その購入チケット識別番号やバーコード等の該電子チケット認証時に用いる文字データ及び／又は画像データが含まれた記念チケットを印刷し、
この判別手段により初回の印刷ではないと判別された場合には、その購入チケット識別番号やバーコード等の該電子チケット認証時に用いる文字データ及び／又は画像データを含まない記念チケットを印刷することを特徴とする請求項１に記載の記念チケット印刷システム。
【請求項４】
携帯端末からコンサート等のチケットの予約を受付可能な予約受付サーバーと、予約受付サーバーから携帯端末に送信されたデータに基づいてチケットの印刷を行なうプリント装置とを備えた記念チケット印刷システムであって、
予約受付サーバーが、携帯端末からのコンサート等のイベント等のチケット予約を受付ける予約受付手段と、
前記予約受付手段により、予約受付サーバーがこの予約を受付けた際に、少なくとも予約チケット識別番号を含む予約番号データを携帯端末に送信する送信手段と、
プリント装置が、この予約番号データを携帯端末から受信した際に、予約受付サーバーへ予約番号データを送信する手段と、
この予約番号データを受信した予約受付サーバーが、プリント装置から送信された予約番号データに対応付けられた文字データ及び／又は画像データを判別するデータ判別手段と、
前記データ判別手段により判別された文字データ及び／又は画像データをプリント装置へと送信する手段と、
前記送信する手段により送信されたデータを受信し、プリント装置の表示部に表示するデータ表示手段と、
前記データ表示手段によりプリント装置の表示部に表示された文字データ及び／又は画像データと、携帯端末から赤外線データ送信された予め携帯端末の記憶部に記憶された予約番号データ以外の画像データ及び／又は文字データ、プリント装置のタッチパネル等の入力手段により入力された文字データ、プリント装置のタッチパネル等の入力手段により選択された画像データのうち、少なくともいずれか１つ、又は、これら任意の組み合わせにより編集を行なうデータ編集手段と、
前記データ編集手段により編集されたデータを所定のシール用紙に印刷する印刷手段と、
を備えたことを特徴とする記念チケット印刷システム。
【請求項５】
前記データ判別手段において、受信した予約番号データのチケット代金が決済済みであるか否かの判別を行なう判別手段を備え、
この判別手段による判別の結果、決済済みであると判別された場合には、該予約番号データに対応付けられた文字データ及び／又は画像データをプリント装置へ送信し、一方、判別の結果、決済済みでない（未決済）と判別された場合には、該予約番号データに対応付けられた文字データ及び／又は画像データをプリント装置へ送信しないことを特徴とする請求項４に記載の記念チケット印刷システム。
【請求項６】
携帯端末からコンサート等のチケットの予約を受付可能な予約受付サーバーと、予約受付サーバーから携帯端末に送信されたデータに基づいてチケットの印刷を行なうプリント装置とを備えた記念チケット印刷方法であって、
予約受付サーバーが、携帯端末からのコンサート等のイベント等のチケット予約を受付ける予約受付手順と、
前記予約受付手順により、予約受付サーバーがこの予約を受付けた際に、少なくとも購入チケット識別番号を含む電子チケットデータを携帯端末に送信する送信手順と、
プリント装置が、この電子チケットデータを携帯端末から受信した際に、予約受付サーバーへ電子チケットデータを送信する手順と、
この電子チケットデータを受信した予約受付サーバーが、プリント装置から送信された電子チケットデータに対応付けられた文字データ及び／又は画像データを判別するデータ判別手順と、
前記データ判別手順により判別された文字データ及び／又は画像データをプリント装置へと送信する手順と、
前記送信する手順により送信されたデータを受信し、プリント装置の表示部に表示するデータ表示手順と、
前記データ表示手順によりプリント装置の表示部に表示された文字データ及び／又は画像データと、携帯端末から赤外線データ送信された予め携帯端末の記憶部に記憶された電子チケットデータ以外の画像データ及び／又は文字データ、プリント装置のタッチパネル等の入力手順により入力された文字データ、プリント装置のタッチパネル等の入力手順により選択された画像データのうち、少なくともいずれか１つ、又は、これら任意の組み合わせにより編集を行なうデータ編集手順と、
前記データ編集手順により編集されたデータを所定のシール用紙に印刷する印刷手順と、
を備えたことを特徴とする記念チケット印刷方法。
【請求項７】
前記データ表示手順により表示される文字データ及び／又は画像データ、及び、前記印刷手順により印刷される文字データ及び／又は画像データには、購入チケット識別番号やバーコード等の該電子チケット認証時に用いる文字データ及び／又は画像データが表示又は印刷されないことを特徴とする請求項６に記載の記念チケット印刷方法。
【請求項８】
前記印刷手順により印刷処理が行なわれる際に、その購入チケット識別番号やバーコード等の該電子チケット認証時に用いる文字データや該電子チケット認証時に用いる画像データのうち、少なくともいずれか１つが含まれた記念チケットの印刷が初回の印刷であるか否かの判別を行なう判別手順を備え、
この判別手順により初回の印刷であると判別された場合には、その購入チケット識別番号やバーコード等の該電子チケット認証時に用いる文字データ及び／又は画像データが含まれた記念チケットを印刷し、
この判別手順により初回の印刷ではないと判別された場合には、その購入チケット識別番号やバーコード等の該電子チケット認証時に用いる文字データ及び／又は画像データを含まない記念チケットを印刷することを特徴とする請求項６に記載の記念チケット印刷方法。
【請求項９】
携帯端末からコンサート等のチケットの予約を受付可能な予約受付サーバーと、予約受付サーバーから携帯端末に送信されたデータに基づいてチケットの印刷を行なうプリント装置とを備えた記念チケット印刷方法であって、
予約受付サーバーが、携帯端末からのコンサート等のイベント等のチケット予約を受付ける予約受付手順と、
前記予約受付手順により、予約受付サーバーがこの予約を受付けた際に、少なくとも予約チケット識別番号を含む予約番号データを携帯端末に送信する送信手順と、
プリント装置が、この予約番号データを携帯端末から受信した際に、予約受付サーバーへ予約番号データを送信する手順と、
この予約番号データを受信した予約受付サーバーが、プリント装置から送信された予約番号データに対応付けられた文字データ及び／又は画像データを判別するデータ判別手順と、
前記データ判別手順により判別された文字データ及び／又は画像データをプリント装置へと送信する手順と、
前記送信する手順により送信されたデータを受信し、プリント装置の表示部に表示するデータ表示手順と、
前記データ表示手順によりプリント装置の表示部に表示された文字データ及び／又は画像データと、携帯端末から赤外線データ送信された予め携帯端末の記憶部に記憶された予約番号データ以外の画像データ及び／又は文字データ、プリント装置のタッチパネル等の入力手順により入力された文字データ、プリント装置のタッチパネル等の入力手順により選択された画像データのうち、少なくともいずれか１つ、又は、これら任意の組み合わせにより編集を行なうデータ編集手順と、
前記データ編集手順により編集されたデータを所定のシール用紙に印刷する印刷手順と、
を備えたことを特徴とする記念チケット印刷方法。
【請求項１０】
前記データ判別手順において、受信した予約番号データのチケット代金が決済済みであるか否かの判別を行なう判別手順を備え、
この判別手順による判別の結果、決済済みであると判別された場合には、該予約番号データに対応付けられた文字データ及び／又は画像データをプリント装置へ送信し、一方、判別の結果、決済済みでない（未決済）と判別された場合には、該予約番号データに対応付けられた文字データ及び／又は画像データをプリント装置へ送信しないことを特徴とする請求項９に記載の記念チケット印刷方法。
【発明の詳細な説明】
【０００１】
【発明の属する技術分野】
本発明は、記念チケット印刷システム及び記念チケット印刷方法に関し、更に詳しくは、コンサートやスポーツ観戦等の各種イベントの入場券や鉄道や航空機の乗車券・搭乗券等の各種チケットを購入し、その電子チケットデータを有する利用者や、各種チケット購入のために用いる予約番号データ等を有する利用者に対して、それらイベントへの参加や乗車・搭乗等の記念として適した記念チケットの印刷が可能な記念チケット印刷システム及び記念チケット印刷方法に関する。
【０００２】
【従来の技術】
従来、例えば、コンサートやスポーツ観戦等の各種イベントの入場券や、鉄道や航空機等の乗車券や搭乗券等の各種チケットの購入は、▲１▼利用者がそのチケットを販売する場所（店舗等）に出向いて購入する、▲２▼利用者が電話やインターネット等により、そのチケットの予約及び送料等を含むチケット代金の決済を行ない、販売業者よりチケットを郵送してもらう、▲３▼利用者が電話やインターネット等により、そのチケットの予約を行ない、その後、チケットの代金決済及び発券を行う場所（コンビニエンスストアやチケット販売店等）に出向き、予約時に付与された予約番号等を提示し購入する等の方法により行なわれていた。
【０００３】
しかしながら、上記従来技術▲１▼及び▲３▼においては、利用者がチケットを販売する場所へ出向かなければならないという課題があり、上記従来技術▲２▼においては、チケットの申込みから利用者の手元に届くまでにかなりの時間を要するという課題があった。
【０００４】
そこで、利用者からのチケット購入申込みがあった場合、そのチケット代金の決算処理と、購入されたチケットに相当するバーチャルチケット（電子チケットデータ）を利用者の携帯端末等へ配信する処理を行ない、更に、チケットの利用場所等において利用者の所持するバーチャルチケットが有効であるか否かの判別を行なう認証機能を有するチケット発行システムが存在している（例えば、特開２００１−２８３１１７「バーチャルチケット発行システム」）。
【０００５】
このチケット発行システムにおいて発行されるバーチャルチケットは、デジタルデータであり、利用者の携帯端末等の表示部にバーコードや画像のかたちで表示される。
【０００６】
【発明が解決しようとする課題】
しかし、本発明と技術分野の類似する上記先願発明において発行されるバーチャルチケットは、単に、バーコード等のかたちで表示されるデジタルデータであり視覚的に単調であるため、利用者にとって、全く記念にならないものであり、また、上記従来技術▲１▼乃至▲３▼において発券されるチケットも、殆どの場合、チケット販売元（チケット販売業者）毎にチケットが印刷される用紙の色や図柄やサイズや、チケットに使用される文字の書体やレイアウト等が略同一であり視覚的に単調であるため、やはり、利用者にとって、イベント参加等の記念として保存するには魅力的でないものであった。
【０００７】
本発明は、上述のような実情に鑑みてなされたものであり、コンサートやスポーツ観戦等の各種イベントの入場券や鉄道や航空機の乗車券・搭乗券等の各種チケットを購入し、その電子チケットデータを有する利用者や、各種チケット購入のために用いる予約番号データ等を有する利用者に対して、それらイベントへの参加や乗車・搭乗等の記念として適した記念チケットの印刷が可能な記念チケット印刷システム及び記念チケット印刷方法を提供することを目的とする。
【０００８】
【課題を解決するための手段】
本発明は上記目的を達成するため、請求項１に記載の発明は、携帯端末からコンサート等のチケットの予約を受付可能な予約受付サーバーと、予約受付サーバーから携帯端末に送信されたデータに基づいてチケットの印刷を行なうプリント装置とを備えた記念チケット印刷システムであって、予約受付サーバーが、携帯端末からのコンサート等のイベント等のチケット予約を受付ける予約受付手段と、前記予約受付手段により、予約受付サーバーがこの予約を受付けた際に、少なくとも購入チケット識別番号を含む電子チケットデータを携帯端末に送信する送信手段と、プリント装置が、この電子チケットデータを携帯端末から受信した際に、予約受付サーバーへ電子チケットデータを送信する手段と、この電子チケットデータを受信した予約受付サーバーが、プリント装置から送信された電子チケットデータに対応付けられた文字データ及び／又は画像データを判別するデータ判別手段と、前記データ判別手段により判別された文字データ及び／又は画像データをプリント装置へと送信する手段と、前記送信する手段により送信されたデータを受信し、プリント装置の表示部に表示するデータ表示手段と、前記データ表示手段によりプリント装置の表示部に表示された文字データ及び／又は画像データと、携帯端末から赤外線データ送信された予め携帯端末の記憶部に記憶された電子チケットデータ以外の画像データ及び／又は文字データ、プリント装置のタッチパネル等の入力手段により入力された文字データ、プリント装置のタッチパネル等の入力手段により選択された画像データのうち、少なくともいずれか１つ、又は、これら任意の組み合わせにより編集を行なうデータ編集手段と、前記データ編集手段により編集されたデータを所定のシール用紙に印刷する印刷手段と、を備えたことを特徴とする。
【０００９】
請求項２に記載の発明は、前記データ表示手段により表示される文字データ及び／又は画像データ、及び、前記印刷手段により印刷される文字データ及び／又は画像データには、購入チケット識別番号やバーコード等の該電子チケット認証時に用いる文字データ及び／又は画像データが表示又は印刷されないことを特徴とする。
【００１０】
請求項３に記載の発明は、前記印刷手段により印刷処理が行なわれる際に、その購入チケット識別番号やバーコード等の該電子チケット認証時に用いる文字データや該電子チケット認証時に用いる画像データのうち、少なくともいずれか１つが含まれた記念チケットの印刷が初回の印刷であるか否かの判別を行なう判別手段を備え、この判別手段により初回の印刷であると判別された場合には、その購入チケット識別番号やバーコード等の該電子チケット認証時に用いる文字データ及び／又は画像データが含まれた記念チケットを印刷し、この判別手段により初回の印刷ではないと判別された場合には、その購入チケット識別番号やバーコード等の該電子チケット認証時に用いる文字データ及び／又は画像データを含まない記念チケットを印刷することを特徴とする。
【００１１】
請求項４に記載の発明は、携帯端末からコンサート等のチケットの予約を受付可能な予約受付サーバーと、予約受付サーバーから携帯端末に送信されたデータに基づいてチケットの印刷を行なうプリント装置とを備えた記念チケット印刷システムであって、予約受付サーバーが、携帯端末からのコンサート等のイベント等のチケット予約を受付ける予約受付手段と、前記予約受付手段により、予約受付サーバーがこの予約を受付けた際に、少なくとも予約チケット識別番号を含む予約番号データを携帯端末に送信する送信手段と、プリント装置が、この予約番号データを携帯端末から受信した際に、予約受付サーバーへ予約番号データを送信する手段と、この予約番号データを受信した予約受付サーバーが、プリント装置から送信された予約番号データに対応付けられた文字データ及び／又は画像データを判別するデータ判別手段と、前記データ判別手段により判別された文字データ及び／又は画像データをプリント装置へと送信する手段と、前記送信する手段により送信されたデータを受信し、プリント装置の表示部に表示するデータ表示手段と、前記データ表示手段によりプリント装置の表示部に表示された文字データ及び／又は画像データと、携帯端末から赤外線データ送信された予め携帯端末の記憶部に記憶された予約番号データ以外の画像データ及び／又は文字データ、プリント装置のタッチパネル等の入力手段により入力された文字データ、プリント装置のタッチパネル等の入力手段により選択された画像データのうち、少なくともいずれか１つ、又は、これら任意の組み合わせにより編集を行なうデータ編集手段と、前記データ編集手段により編集されたデータを所定のシール用紙に印刷する印刷手段と、を備えたことを特徴とする。
【００１２】
請求項５に記載の発明は、前記データ判別手段において、受信した予約番号データのチケット代金が決済済みであるか否かの判別を行なう判別手段を備え、この判別手段による判別の結果、決済済みであると判別された場合には、該予約番号データに対応付けられた文字データ及び／又は画像データをプリント装置へ送信し、一方、判別の結果、決済済みでない（未決済）と判別された場合には、該予約番号データに対応付けられた文字データ及び／又は画像データをプリント装置へ送信しないことを特徴とする。
【００１３】
請求項６に記載の発明は、携帯端末からコンサート等のチケットの予約を受付可能な予約受付サーバーと、予約受付サーバーから携帯端末に送信されたデータに基づいてチケットの印刷を行なうプリント装置とを備えた記念チケット印刷方法であって、予約受付サーバーが、携帯端末からのコンサート等のイベント等のチケット予約を受付ける予約受付手順と、前記予約受付手順により、予約受付サーバーがこの予約を受付けた際に、少なくとも購入チケット識別番号を含む電子チケットデータを携帯端末に送信する送信手順と、プリント装置が、この電子チケットデータを携帯端末から受信した際に、予約受付サーバーへ電子チケットデータを送信する手順と、この電子チケットデータを受信した予約受付サーバーが、プリント装置から送信された電子チケットデータに対応付けられた文字データ及び／又は画像データを判別するデータ判別手順と、前記データ判別手順により判別された文字データ及び／又は画像データをプリント装置へと送信する手順と、前記送信する手順により送信されたデータを受信し、プリント装置の表示部に表示するデータ表示手順と、前記データ表示手順によりプリント装置の表示部に表示された文字データ及び／又は画像データと、携帯端末から赤外線データ送信された予め携帯端末の記憶部に記憶された電子チケットデータ以外の画像データ及び／又は文字データ、プリント装置のタッチパネル等の入力手順により入力された文字データ、プリント装置のタッチパネル等の入力手順により選択された画像データのうち、少なくともいずれか１つ、又は、これら任意の組み合わせにより編集を行なうデータ編集手順と、前記データ編集手順により編集されたデータを所定のシール用紙に印刷する印刷手順と、を備えたことを特徴とする。
【００１４】
請求項７に記載の発明は、前記データ表示手順により表示される文字データ及び／又は画像データ、及び、前記印刷手順により印刷される文字データ及び／又は画像データには、購入チケット識別番号やバーコード等の該電子チケット認証時に用いる文字データ及び／又は画像データが表示又は印刷されないことを特徴とする。
【００１５】
請求項８に記載の発明は、前記印刷手順により印刷処理が行なわれる際に、その購入チケット識別番号やバーコード等の該電子チケット認証時に用いる文字データや該電子チケット認証時に用いる画像データのうち、少なくともいずれか１つが含まれた記念チケットの印刷が初回の印刷であるか否かの判別を行なう判別手順を備え、この判別手順により初回の印刷であると判別された場合には、その購入チケット識別番号やバーコード等の該電子チケット認証時に用いる文字データ及び／又は画像データが含まれた記念チケットを印刷し、この判別手順により初回の印刷ではないと判別された場合には、その購入チケット識別番号やバーコード等の該電子チケット認証時に用いる文字データ及び／又は画像データを含まない記念チケットを印刷することを特徴とする。
【００１６】
請求項９に記載の発明は、携帯端末からコンサート等のチケットの予約を受付可能な予約受付サーバーと、予約受付サーバーから携帯端末に送信されたデータに基づいてチケットの印刷を行なうプリント装置とを備えた記念チケット印刷方法であって、予約受付サーバーが、携帯端末からのコンサート等のイベント等のチケット予約を受付ける予約受付手順と、前記予約受付手順により、予約受付サーバーがこの予約を受付けた際に、少なくとも予約チケット識別番号を含む予約番号データを携帯端末に送信する送信手順と、プリント装置が、この予約番号データを携帯端末から受信した際に、予約受付サーバーへ予約番号データを送信する手順と、この予約番号データを受信した予約受付サーバーが、プリント装置から送信された予約番号データに対応付けられた文字データ及び／又は画像データを判別するデータ判別手順と、前記データ判別手順により判別された文字データ及び／又は画像データをプリント装置へと送信する手順と、前記送信する手順により送信されたデータを受信し、プリント装置の表示部に表示するデータ表示手順と、前記データ表示手順によりプリント装置の表示部に表示された文字データ及び／又は画像データと、携帯端末から赤外線データ送信された予め携帯端末の記憶部に記憶された予約番号データ以外の画像データ及び／又は文字データ、プリント装置のタッチパネル等の入力手順により入力された文字データ、プリント装置のタッチパネル等の入力手順により選択された画像データのうち、少なくともいずれか１つ、又は、これら任意の組み合わせにより編集を行なうデータ編集手順と、前記データ編集手順により編集されたデータを所定のシール用紙に印刷する印刷手順と、を備えたことを特徴とする。
【００１７】
請求項１０に記載の発明は、前記データ判別手順において、受信した予約番号データのチケット代金が決済済みであるか否かの判別を行なう判別手順を備え、この判別手順による判別の結果、決済済みであると判別された場合には、該予約番号データに対応付けられた文字データ及び／又は画像データをプリント装置へ送信し、一方、判別の結果、決済済みでない（未決済）と判別された場合には、該予約番号データに対応付けられた文字データ及び／又は画像データをプリント装置へ送信しないことを特徴とする。
【００１８】
【発明の実施の形態】
（第１の実施例）
本発明に係る第１の実施の形態を以下に説明する。図１は、従来の電子チケット発行システムのイメージ図であり、図２は、第１の実施の形態の記念チケット印刷システムのイメージ図である。
【００１９】
図１及び／又は図２中、１０は利用者の操作する携帯端末の一種である携帯電話機であり、１１は利用者であり、２０は記念チケットの印刷を行なうプリント装置であり、２１は記念チケットの一種であるオリジナル画像入りシールであり、３０は予約受付サーバーであり、４０はパーソナルコンピュータ等の入場管理端末であり、４１はバーコードリーダーやＣＣＤカメラ等の読取装置や赤外線データ受信部等の受信部であり、４２はイベント会場の一種であるコンサート会場である。
【００２０】
なお、携帯端末の一種である携帯電話機１０は、静止画及び／又は動画の画像データや、文字データ等を一時的に記憶部に保存可能であって、これらのデータを赤外線データ通信でプリント装置２０へ送信可能な携帯端末（携帯電話機、デジタルカメラ、デジタルビデオ、携帯型ゲーム機、ＰＤＡ（Ｐｅｒｓｏｎａｌ  Ｄｉｇｉｔａｌ  Ａｓｓｉｓｔａｎｔ）等）であれば良いが、本実施の形態では、カメラ機能を有した携帯電話機に基づいて説明を行う。
【００２１】
ここで、カメラ機能を有した携帯電話機の構成について、図３の概略ブロック図に基づいて説明する。携帯電話機１０は、携帯電話機１０の全体を制御する制御部１０１と、テンキーや各種入力キーなどからなる入力部１０２と、無線通信・基地局を介しての通信などを行なう通信部１０３と、画像データや文字データなどを記憶する記憶部１０４と、各種情報を表示する表示部１０５と、受信した音声などを出力するスピーカー１０６と、音声などを入力するマイク１０７と、携帯電話機１０の各部に電源を供給するためのバッテリー１０８と、静止画や動画などの映像を撮影するカメラ１０９と、画像データや文字データなどを送受信可能な赤外線データ送受信部１１０とを備えている。
【００２２】
そして、携帯電話機１０の記憶部１０４には、画像データを格納するための画像フォルダが設けられており、その画像フォルダに撮影された静止画や動画などの画像データが保存されている。
【００２３】
更に、画像フォルダに保存された画像データは、それぞれの画像毎に、フラグ・フォト番号・日時・タイトル・画像サイズ・ファイルの種類・画像データ等のフィールドを有するレコードにより管理され、そのうち、フラグ欄はその画像が自携帯のカメラで撮影した映像であるか、又は、他からダウンロードされた映像であるかが判断され、その結果、他からダウンロードされた映像であると判断された場合には、著作権・肖像権保護の目的でフラグが立ち、その画像の転送を禁止する。フォト番号欄は画像毎に割り当てられたユニークな番号を格納する。日時欄は画像を撮影した日時データを格納する。タイトル欄はデフォルトではブランクであるが、利用者（本プリントシステムを利用する者を意味する。）によりその画像のタイトルが付与された場合にそのタイトルデータを格納する。画像サイズ欄は画像データのサイズを格納する。ファイルの種類欄は保存された画像データのファイル形式（例えば、ＪＰＥＧ、ＰＮＧ、ビットマップ、ＭＰＥＧ等）情報を格納する。画像データ欄には実際のデジタル画像データを格納する。
【００２４】
次に、プリント装置２０は、公衆電話回線網や専用回線等の通信回線を介して予約受付サーバー３０と接続可能であり、且つ、予約受付サーバー３０との間での各種データの送受信が可能である。更に、プリント装置２０は、携帯電話機１０から赤外線データ通信により画像データや文字データ等を受信することが可能であって、これら受信データの修正・加工等が表示画面（タッチパネル画面）上で可能であると共に、それらをシール用紙等の任意の用紙に印刷することができるものであれば良い。また、プリント装置２０と予約受付サーバー３０との接続方法は、有線、無線のいずれの方法でも良い。更に、プリント装置２０には、携帯電話機１０の表示部１０５に表示された画像データや文字データ等を読み取り可能なバーコードリーダーやＣＣＤカメラやＯＣＲ（オプティカル・キャラクタ・リーダ）等の読取装置が通信ケーブル等により接続されていても良い。
【００２５】
ここで、プリント装置２０の構成について、図４のイメージ図、及び、図５の概略ブロック図に基づいて説明する。プリント装置２０は、プリント装置２０の全体を制御する制御部２０１と、タッチパネル式の表示部２０２と、印刷を行なう画像の編集等に用いる各種データ等を記憶する記憶部２０３と、メモリ２０４と、画像データや文字データ等を送受信可能な赤外線データ送受信部２０５と、印刷処理を行う印刷部２０６と、お金の投入を受付ける金銭投入部２０７と、赤外線データ送受信部２０５で受信したテキスト形式の画像データをＪＰＥＧ（ｊｏｉｎｔ  ｐｈｏｔｏｇｒａｐｈｉｃ  ｅｘｐｅｒｔｓ  ｇｒｏｕｐ）形式等に変換処理するデータ変換処理部２０８と、公衆回線網又は専用回線を介して予約受付サーバー３０と通信する通信部２０９と、印刷したシール用紙等を排出する用紙排出部２１０とを備えている。また、コントロールレバーや各種ボタン等の入力部や、スピーカーや、マイクや、無停電電源ユニット（ＵＰＳ）等を適宜備えても良い。
【００２６】
そして、プリント装置２０の記憶部２０３には、記念チケットに用いるレイアウト・書体（江戸文字、演芸文字、相撲文字等）・背景・前景フレーム等のデータを保存蓄積したデータベースや、プリント装置２０の利用された日時・利用時間・利用者により選択されたシールレイアウトや背景の種類等に関する各種情報を保存蓄積するための履歴データベースが構築されている。そして、この履歴データベースに保存蓄積された情報は、後に、集計業務やマーケティング等に利用される。また、プリント装置２０の記憶部２０３には、これらのデータベースの他に、予約受付サーバー３０から送信された電子チケットデータに関する情報（購入されたチケットに関する文字データや、その電子チケットデータと対応付けられた１又は複数の画像データや文字データ等）を保存蓄積するデータベースが構築されている。
【００２７】
また、プリント装置２０の用紙排出部２１０より排出される記念チケットの一種であるオリジナル画像入りシール２１の一例を図６及び図７のイメージ図に基づいて説明する。プリント装置２０により編集され、印刷され、排出される記念チケットの一種であるオリジナル画像入りシール２１は、図６のように、１枚のシール用紙中に、電子チケットデータに基づき表示・印刷されるイベント名・開催場所・開催日・開場時間・開演時間・座席種別（Ｓ席・Ａ席・アリーナ席等）・座席番号・チケット金額等の文字データと、チケットを購入した利用者の氏名やニックネーム等の文字データが印刷される文字データ印刷スペースと、イベントの開催者により決定されたそのイベントのオリジナル画像（例えば、利用者にとって入手困難なイベント風景等のプレミアム画像等）が印刷される画像データ印刷スペース１と、イベントの開催者により複数のオリジナル画像が提供（表示）され、その中から利用者により選択された画像や、若しくは、利用者１１の携帯電話機１０のカメラで撮影した画像データを赤外線データ通信により送信し、編集された画像データ等を組み合わせて印刷することが可能な画像データ印刷スペース２とにより構成され、図７のような画像の入った記念チケットとして印刷される。
【００２８】
予約受付サーバー３０は、予約受付サーバー３０の全体を制御する制御部と、予約及び／又は購入されたチケットに関するデータを記憶する記憶部と、メモリと、記憶部に保存蓄積したデータをインターネット等の公衆回線網又は専用回線を介してプリント装置２０や携帯電話機１０へ送信可能な通信部とを備えている。
【００２９】
予約受付サーバー３０の記憶部に記憶された予約及び／又は購入されたチケットに関するデータとは、チケットに相当する電子化されたデジタルデータである電子チケットデータと、予約券に相当する電子化されたデジタルデータである予約番号データとを含むデータを指し、電子チケットデータには、購入されたチケットを特定可能な複数桁の数字やアルファベット等で構成された購入チケット識別番号と、予約日時・それぞれのイベントを特定可能なイベント番号・イベント名・開催場所・開催日・開場時間・開演時間・座席種別（Ｓ席・Ａ席・アリーナ席等）・座席番号・チケット金額・決済方法・購入者の連絡先電話番号・電子チケットデータの送信先電子メールアドレス（携帯電話機の電子メールアドレス）や、当該電子チケットデータと対応付けられた画像データ（１又は複数のそのイベントのオリジナル画像（例えば、イベント風景画像や歌手の顔写真等）や広告性のある画像）や文字データ（１又は複数のイベントのキャッチコピーや広告性のある文字等）等が対応付けられて記憶され、更に、その電子チケットデータが有効であるか否かの認証処理に用いるデータであるバーコードや画像や音声等に関するデータが必要に応じて対応付けられて記憶されている。
【００３０】
上述の電子チケットデータが有効であるか否かの認証処理に用いるデータは、例えば、電子チケットデータの認証をコンサート会場４２にて携帯電話機１０から入場管理用端末４０に接続された赤外線データ受信部４１に送信し、受信した赤外線データ（購入チケット識別番号）により認証を行なうような認証方法の場合には、不要であるため、バーコードや画像や音声等のかたちで記憶する必要がない。
【００３１】
また、上述の電子チケットデータは、コンサートやスポーツ観戦等のイベントの入場券に限定されず、演劇の鑑賞券、美術展の入場券、鉄道や航空機の乗車券・搭乗券・定期券・入場券・周遊券等のチケットやホテルの宿泊券等の予約及び／又は発券を行なう各種チケットに用いることができる。
【００３２】
更に、上述の電子チケットデータの購入チケット識別番号には、同一イベントの複数の座席番号や、同一の購入者による複数のイベントの座席等を割り当てることが可能である。従って、１回の予約で複数人分（複数枚）のチケットを購入することや、１回の予約で複数イベントのチケットの購入が可能となる。
【００３３】
そして、予約番号データには、予約されたチケットを特定可能な複数桁の数字やアルファベット等で構成された予約チケット識別番号と、予約日時・それぞれのイベントを特定可能なイベント番号・イベント名・開催場所・開催日・開場時間・開演時間・座席種別（Ｓ席・Ａ席・アリーナ席等）・座席番号・チケット金額・購入期限・予約者の連絡先電話番号・予約番号データの送信先電子メールアドレス（携帯電話機の電子メールアドレス）や、当該予約番号データと対応付けられた画像データ（１又は複数のそのイベントのオリジナル画像（例えば、イベント風景画像や歌手の顔写真等）や広告性のある画像）や文字データ（１又は複数のイベントのキャッチコピーや広告性のある文字等）等が対応付けられて記憶され、更に、その予約番号データが有効であるか否かの認証処理に用いるデータであるバーコードや画像や音声等に関するデータが必要に応じて対応付けられて記憶されている。
【００３４】
上述の予約番号データが有効であるか否かの認証処理に用いるデータは、例えば、予約番号データの認証をそのチケットを発券するコンビニエンスストア５１にて携帯電話機１０からＰＯＳ端末５０に装備された赤外線データ受信部に送信し、受信した赤外線データ（予約チケット識別番号）により認証を行なうような認証方法の場合には、不要であるため、バーコードや画像や音声等のかたちで記憶する必要がない。
【００３５】
また、上述の予約番号データは、コンサートやスポーツ観戦等のイベントの入場券に限定されず、演劇の鑑賞券、美術展の入場券、鉄道や航空機の乗車券・搭乗券・定期券・入場券・周遊券等のチケットやホテルの宿泊券等の予約及び／又は発券を行なう各種チケットに用いることができる。
【００３６】
更に、上述の予約番号データの予約チケット識別番号には、同一イベントの複数の座席番号や、同一の購入者による複数のイベントの座席等を割り当てることが可能である。従って、複数人分（複数枚）のチケットを１回で予約することや、複数のイベントチケットを１回で予約することが可能となる。
【００３７】
入場管理端末４０は、入場管理端末４０の全体を制御する制御部と、電子チケットデータの認証にかかわるデータを記憶する記憶部と、メモリと、公衆回線網又は専用回線を介して予約受付サーバー３０とデータの送受信を行なうための通信部とを備え、バーコードリーダーやＣＣＤカメラ等の読取装置や携帯電話機１０からの赤外線データを受信可能な赤外線データ受信部等が通信ケーブル等により接続されている。
【００３８】
続いて、本実施例に係る記念チケット印刷システムの主な処理の流れを図８乃至１０に基づいて説明する。
【００３９】
先ず、利用者１１は、携帯電話機１０の通信手段を用いてインターネット等の公衆回線網等を介して予約受付サーバー３０にアクセスし、予約受付サーバー３０のＷｅｂページ上等から利用者１１の所望するコンサート等のイベントのチケットの空席確認を行ない、空席があることを確認した後、そのチケットを予約する旨の処理を行なうと、予約受付サーバー３０は、利用者１１から予約する旨の処理のあったチケットの代金を算出し、算出したチケット代金とそのチケット代金の決済及び電子チケットデータの送信に必要なデータの入力を要求する旨の文章を表示する。
【００４０】
そこで、利用者１１の携帯電話機１０の入力手段によりチケット代金の決済及び電子チケットデータの送信に必要なデータの入力と、チケットの購入を確定する旨の処理（例えば、表示部に表示された確認ボタンを押す等）がなされると、予約受付サーバー３０は、チケット代金の決済処理を行ない、決済処理が正常に終了した後に、購入チケット識別番号を発行（生成）し、利用者１１により指定された携帯電話機１０の電子メールアドレス宛てにその購入チケット識別番号を含む電子チケットデータが添付された電子メールの送信を行なう。
【００４１】
この予約受付サーバー３０より送信された電子チケットデータは、購入されたチケットを特定可能な複数桁の数字やアルファベット等で構成された購入チケット識別番号データのみで良いが、必要に応じて、その電子チケットデータが有効であるか否かの認証処理に用いるデータである当該購入チケット識別番号データに対応付けられて記憶されたバーコードや画像や音声等に関するデータが加されたものであっても良い。
【００４２】
また、予約受付サーバー３０において、購入チケット識別番号が、利用者１１により決められた暗証コード（暗証番号）や利用者１１により入力された連絡先電話番号等の利用者の個人情報データ等と対応付けられて管理されていても良い。
【００４３】
続いて、予約受付サーバー３０から送信された電子メールに添付された電子チケットデータを携帯電話機１０により受信した利用者１１は、受信した購入チケット識別番号を含む電子チケットデータを赤外線データ通信により携帯電話機１０の赤外線データ送受信部１１０からプリント装置２０の赤外線データ送受信部２０５へ送信する。
【００４４】
この赤外線データ通信に用いられる通信プロトコルは、ＩｒＭＣである。ＩｒＭＣは、ＩｒＤＡ（Ｉｎｆｒａｒｅｄ  Ｄａｔａ  Ａｓｓｏｃｉａｔｉｏｎ）で規定されるデータ通信プロトコルのひとつで、モバイルコミュニケーション用に開発された汎用的なファイル転送機能を提供する規格である。
【００４５】
また、この赤外線データ送信時は、携帯電話機１０の赤外線データ送受信部１１０とプリント装置２０の赤外線送受信部２０５とを、間に障害物を介さないかたちで、且つ、２０ｃｍ以内の距離で、対面させる状態で数秒間（５秒程度）動かさずに保持し、受信完了を待つのが望ましい。
【００４６】
また、携帯電話機１０からプリント装置２０への購入チケット識別番号を含む電子チケットデータの送信を赤外線データ通信以外の方法（例えば、携帯電話機１０の表示部１０５に購入チケット識別番号と対応付けられたバーコード等の画像データを表示し、その画像データをプリント装置２０と通信ケーブルにより接続されたバーコードリーダーやＣＣＤカメラやＯＣＲ等の読取装置により読み取る方法等）を用いて行なっても良い。
【００４７】
続いて、購入チケット識別番号を含む電子チケットデータを送信されたプリント装置２０は、その電子チケットデータを受信し（ステップＳ７０１）、記憶部２０３に記憶する。
【００４８】
そして、記憶部２０３に記憶した購入チケット識別番号を含む電子チケットデータを通信部２０９より公衆回線網又は専用回線等により接続された予約受付サーバー３０へ送信する。
【００４９】
予約受付サーバー３０は、送信された購入チケット識別番号を含む電子チケットデータを受信し、記憶部に記憶する。
【００５０】
そして、その記憶した電子チケットデータに含まれた購入チケット識別番号データに基づき、記憶部に記憶された購入チケットデータベースの購入されたチケットに関するデータの中から、その購入チケット識別番号と一致するチケットに関するデータを判別し（ステップＳ７０２）、続いて、その購入チケット識別番号と対応付けられたイベント名・開催場所・開催日・開場時間・開演時間・座席種別（Ｓ席・Ａ席・アリーナ席等）・座席番号・チケット金額等の文字データと、イベントの開催者により決定されたそのイベントのオリジナル画像データと、イベントの開催者により提供された複数のオリジナル画像データとを読出し（抽出し）、それらの読出した（抽出した）文字データや画像データを通信回線を介して接続されたプリント装置２０へ送信する。
【００５１】
そして、プリント装置２０は、それらのデータを受信し、受信したデータをプリント装置２０の表示部（タッチパネル）２０２に表示する。その際に、プリント装置２０は、受信したデータのうち、イベント名・開催場所・開催日・開場時間・開演時間・座席種別（Ｓ席・Ａ席・アリーナ席等）・座席番号・チケット金額等の文字データを表示部に表示された記念チケットレイアウトの下部の文字データ印刷スペース部分に表示し、同時に、当該購入チケット識別番号と対応付けられた画像データのうち、イベントの開催者により決定されたそのイベントのオリジナル画像データを記念チケットレイアウトの左上部の画像データ印刷スペース１部分に表示する（ステップＳ７０３）。
【００５２】
仮に、ステップＳ７０２のデータ判別処理において、購入チケット識別番号データと一致するデータが存在しなかった場合には、表示部２０２にその旨を文字にて表示する。
【００５３】
更に、同じ表示画面上に、印刷する記念チケットに利用者１１の名前やニックネーム等を入力するか否かを利用者１１に選択させるための文字表示（例えば、「記念チケットにあなたの名前を印刷しますか？」等）と選択ボタン（例えば、「ＹＥＳ」ボタンと「ＮＯ」ボタン）とを表示し（ステップＳ７０４）、利用者１１によりプリント装置２０のタッチパネル上で「ＹＥＳ」ボタンが押された場合には、プリント装置２０は、その表示部２０２に、記念チケットに印刷する名前やニックネーム等を携帯電話１０の記憶部１０４に記憶された文字データを赤外線データ通信により送信し使用するか、又は、利用者１１がタッチパネルをタッチして入力するかを利用者１１に選択させるための文字表示（例えば、「携帯電話から名前データを送信しますか？」等）と選択ボタン（例えば、「ＹＥＳ」ボタンと「ＮＯ」ボタン）とを表示し（ステップＳ７０５）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された名前やニックネームに関するデータを受信し（ステップＳ７０６）、受信したデータをその他の記念チケットデータと合成し、図７のように表示部２０２に表示された記念チケットレイアウトの下部の文字データ印刷スペース部分の最下行の名前欄に確認表示する（ステップＳ７０８）。
【００５４】
また、ステップＳ７０４で表示されたボタンのうち、「ＮＯ」ボタンが押された場合には、プリント装置２０は、この記念チケットには名前やニックネーム等の印刷を行なわないと判断し、記念チケットレイアウトの下部の文字データ印刷スペース部分の名前欄をブランクで確認表示する（ステップＳ７０８）。この場合、図７にある名前欄のタイトルである「氏名：」という表示も行なわない。
【００５５】
また、ステップＳ７０５で表示されたボタンのうち、「ＮＯ」ボタンが押された場合には、プリント装置２０は、利用者１１による名前やニックネーム等の入力がタッチパネル上で文字を入力（指定）する方法で行なわれると判断し、その後、利用者１１により入力（指定）された名前やニックネーム等に関する文字データを記憶し（ステップＳ７０７）、記憶したデータをその他の記念チケットデータと合成し、図７のように表示部２０２に表示された記念チケットレイアウトの下部の文字データ印刷スペース部分の最下行の名前欄に確認表示する（ステップＳ７０８）。
【００５６】
次に、ステップＳ７０８で表示された確認画面上で利用者１１からの表示内容に関する承諾（例えば、タッチパネル上の「承諾」ボタン等を押す）があると、プリント装置２０は、表示部２０２に、画像データ印刷スペース２を分割なしで全スペースを１区画として使用するか、又は、４分割にしてそれぞれの区画に異なる画像データを表示させて使用するかを利用者１１に選択させるための文字表示（例えば、「画像データ印刷スペース２を１区画（全スペース）で使用しますか？」等）と選択ボタン（例えば、「ＹＥＳ」ボタンと「ＮＯ」ボタン）とを表示し（ステップＳ７１１）、利用者１１によりプリント装置２０のタッチパネル上で「ＹＥＳ」ボタンが押された場合には、プリント装置２０は、画像データ印刷スペース２を１区画（全スペース）で使用するものと判断し（ステップＳ７１２）、表示部２０２に、画像データ印刷スペース２に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７１３）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７１４）、受信したデータをその他の記念チケットデータと合成し、画像データ印刷スペース２部分に確認表示する（ステップＳ７４１）。
【００５７】
また、ステップＳ７１３で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７１５）オリジナル画像に関する画像データを記憶し、記憶したデータをその他の記念チケットデータと合成し、画像データ印刷スペース２部分に確認表示する（ステップＳ７４１）。
【００５８】
また、ステップＳ７１１で表示されたボタンのうち、「ＮＯ」ボタンが押された場合には、プリント装置２０は、画像データ印刷スペース２を４分割にしてそれぞれの区画に異なる画像データを表示させて使用するものと判断し（ステップＳ７２１）、表示部２０２に、画像データ印刷スペース２を４分割し、それぞれをＡ区画（スペースＡ）、Ｂ区画（スペースＢ）、Ｃ区画（スペースＣ）、Ｄ区画（スペースＤ）とし、先ず、Ａ区画（スペースＡ）に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７２２）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７２３）、受信したデータを記憶部２０３に記憶する。
【００５９】
また、ステップＳ７２２で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７２４）オリジナル画像に関する画像データを記憶部２０３に記憶する。
【００６０】
続いて、プリント装置２０は、Ｂ区画（スペースＢ）に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７２５）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７２６）、受信したデータを記憶部２０３に記憶する。
【００６１】
また、ステップＳ７２５で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７２７）オリジナル画像に関する画像データを記憶部２０３に記憶する。
【００６２】
続いて、プリント装置２０は、Ｃ区画（スペースＣ）に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７２８）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７２９）、受信したデータを記憶部２０３に記憶する。
【００６３】
また、ステップＳ７２８で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７３０）オリジナル画像に関する画像データを記憶部２０３に記憶する。
【００６４】
続いて、プリント装置２０は、Ｄ区画（スペースＤ）に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７３１）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７３２）、受信したデータを記憶部２０３に記憶する。
【００６５】
また、ステップＳ７３１で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７３３）オリジナル画像に関する画像データを記憶部２０３に記憶する。
【００６６】
そして、区画Ａ、Ｂ、Ｃ、Ｄの４区画に表示される４つの異なる画像データが選択（指定）されると、プリント装置２０は、記憶部２０３に記憶した４つの画像データをその他の記念チケットデータと合成し、図７のように表示部２０２に表示された記念チケットレイアウトの右上部の画像データ印刷スペース２部分に同時に確認表示する（ステップＳ７４１）。
【００６７】
次に、ステップＳ７４１で表示された確認画面上で利用者１１からの表示内容に関する承諾（例えば、タッチパネル上の「画像決定」ボタン等を押す）があり、印刷される記念チケットの文字データと画像データが決定されると（ステップＳ７４２）、プリント装置２０は、表示部２０２に、この記念チケットの印刷代金（例えば、「コイン投入口へ２００円入れてください。」等）の表示を行なう課金処理を行ない（ステップＳ７４３）、金銭投入部２０７へ利用者１１からの印刷料金の投入があったと判断されると、ステップＳ７４２にて決定された記念チケットを印刷部２０６にて印刷し（ステップＳ７４４）、印刷に用いたシール用紙がロール紙タイプの場合には、そのシール用紙をカットし、その後、カットしたシール用紙を用紙排出部２１０より排出する（ステップＳ７４５）。
【００６８】
このステップＳ７４４の印刷処理の際に、ステップＳ７４２にて決定された記念チケットのシール用紙の下部の余白部分に「＜注意＞このチケットは記念品です。このチケットでは入場できません。」等の注意書きを記載し、あくまでイベント参加者の記念品としての使用（保存）を目的として印刷しても良い。
【００６９】
記念品としての記念チケットの印刷を行なう場合、プリント装置２０の表示部２０２には、購入チケット識別番号や認証処理に用いるデータであるバーコードや認証画像等の文字データ及び／又は画像データを表示せずに、印刷される記念チケットにも、購入チケット識別番号や認証処理に用いるデータであるバーコードや認証画像等の文字データ及び／又は画像データを印刷しないのが望ましい。
【００７０】
逆に、記念品としての使用（保存）だけでなく、実際にイベント等への入場を可能とする記念チケットとして印刷しても良い。
【００７１】
この場合には、ステップＳ７０３において、購入チケット識別番号やその記念チケットが有効であるか否かの認証処理に用いるデータであるバーコードや認証画像等の文字データ及び／又は画像データを必要に応じて文字データ印刷スペース部分に表示し、記念チケット２１へ印刷するのが望ましい。
【００７２】
また、記念チケット２１に、購入チケット識別番号やその記念チケットが有効であるか否かの認証処理に用いるデータであるバーコードや認証画像等の文字データ及び／又は画像データのうち、少なくともいずれか１つ、又は、それら任意の組み合わせを印刷する場合には、ステップＳ７０２のデータ判別処理の際に、受信した電子チケットデータに含まれた購入チケット識別番号と一致するチケットに関するデータを判別すると共に、当該購入チケット識別番号の記念チケットの印刷が、今回が初回であるか否かの判別を行ない、この判別の結果が「初回の印刷である」と判断された場合には、購入チケット識別番号や認証処理に用いるデータであるバーコードや認証画像等の文字データ及び／又は画像データを記念チケットに表示・印刷し、一方、判別の結果が「初回の印刷ではない（２度目以上の印刷）」と判断された場合には、購入チケット識別番号や認証処理に用いるデータであるバーコードや認証画像等の文字データ及び／又は画像データを記念チケットに表示も印刷しない（つまり、購入チケット識別番号や認証処理に用いるデータであるバーコードや認証画像等の文字データ及び／又は画像データを含まない記念チケットを印刷する）として、実際にイベント等に入場に可能なバーコードや画像等の認証データを有する記念チケットの二重発行を回避するのが望ましい。
【００７３】
なお、記念チケットの印刷が初回であるか否かの判別は、購入チケットデータに記念チケットの印刷が初回であるか否かの判別用のフラグを設けて、印刷処理が行なわれた場合にそのフラグを立てて、印刷済みが判別できる状態に設定する等の方法で行なうのが望ましい。
【００７４】
更に、記念チケット２１に、購入チケット識別番号やその記念チケットが有効であるか否かの認証処理に用いるデータであるバーコードや認証画像等の文字データ及び／又は画像データうち、少なくともいずれか１つ、又は、それら任意の組み合わせを印刷する場合には、購入チケット識別番号を含む電子チケットデータの送信を行なった携帯電話機１０の当該電子チケットデータに外部にデータ送信を行なった旨のフラグを立てて、電子チケットデータとして無効な状態になるように設定しても良い。
【００７５】
更に、記念チケット２１の印刷に用いるロール紙タイプ等の用紙に、予め、印刷された記念チケット２１を複写機でカラーコピーした場合、例えば、「これは、コピーチケットです。」、「ＤＯ  ＮＯＴ  ＣＯＰＹ」等の不正コピーを防止するための文字や図形等による表示がコピー元用紙及び／又はコピー先用紙に浮き出る（印刷される）ような加工を施しておいても良い。
【００７６】
また、印刷される記念チケット２１のサイズやレイアウト等は、図６、７に記載のサイズやレイアウトに限らず、適宜変更することができる。
【００７７】
また、記念チケット２１には、歌手やプロスポーツ選手等の写った画像が印刷されることが予想されるが、その場合には、記念チケットの印刷に使用した画像の肖像権使用料やキャラクタ使用料等のロイヤリティを記念チケット印刷代金の中から捻出し、権利保有者へ支払うのが望ましい。
【００７８】
また、上述した本実施例の記念チケット印刷システムの各工程以外に、例えば、文字データ印刷スペースの背景柄を付ける編集を行なう工程を加したり、選択した画像データにタッチパネル上より利用者１１によるペン入力の文字や記号や絵等の落書き編集を行ない、表示した画像データへ合成し表示させる工程を加するなどのアプリケーションの追加を適宜行なっても良い。
【００７９】
また、本実施例では、イベントの一種であるコンサートの電子チケットデータを用いた記念チケット印刷システム及び記念チケット印刷方法の一例を説明したが、この電子チケットデータは、コンサートチケットに限らず、スポーツ観戦チケットや、電車の乗車券・定期券、飛行機の航空券、ホテルの宿泊予約券、遊園地の入園券、映画の鑑賞券等の各種チケットに応用することが可能である。
【００８０】
以上説明した、本実施例に係る記念チケット印刷システム及び記念チケット印刷方法によれば、コンサートやスポーツ観戦等の各種イベントの入場券や鉄道や航空機の乗車券・搭乗券等の各種チケットを購入し、その電子チケットデータを自己の有する携帯電話機にて受信した利用者が、その電子チケットデータをプリント装置へ赤外線データ送信し、それらイベントへの参加や乗車・搭乗等の記念となる保存に適したオリジナル画像入りシール（記念チケット）を容易に印刷することが可能となる。これにより、利用者にとっては、楽しみながら記念品として保存できる記念チケットを印刷することが可能になり、また、イベント主催者やチケット販売会社にとっては、記念チケットにオリジナル画像等を印刷することで今までなかった宣伝広告効果を得ることができ、且つ、今までなかった著作権料等の新規収入を得ることも可能となる。
【００８１】
（第２の実施例）
本発明に係る第２の実施の形態を以下に説明する。図１１は、従来のチケット予約システムのイメージ図であり、図１２は、第２の実施の形態の記念チケット印刷システムのイメージ図である。
図１１及び／又は図１２中、１０は利用者の操作する携帯端末の一種である携帯電話機であり、１１は利用者であり、２０は記念チケットの印刷を行なうプリント装置であり、２１は記念チケットの一種であるオリジナル画像入りシールであり、３０は予約受付サーバーであり、３１はチケット販売会社であり、５０は予約したチケットの代金決済及び発券を行なうＰＯＳ端末であり、５１はコンビニエンスストアである。
【００８２】
なお、携帯端末の一種である携帯電話機１０は、静止画及び／又は動画の画像データや、文字データ等を一時的に記憶部に保存可能であって、これらのデータを赤外線データ通信でプリント装置２０へ送信可能な携帯端末（携帯電話機、デジタルカメラ、デジタルビデオ、携帯型ゲーム機、ＰＤＡ（Ｐｅｒｓｏｎａｌ  Ｄｉｇｉｔａｌ  Ａｓｓｉｓｔａｎｔ）等）であれば良いが、本実施の形態では、カメラ機能を有した携帯電話機に基づいて説明を行う。
【００８３】
ここで、カメラ機能を有した携帯電話機の構成について、図３の概略ブロック図に基づいて説明する。携帯電話機１０は、携帯電話機１０の全体を制御する制御部１０１と、テンキーや各種入力キーなどからなる入力部１０２と、無線通信・基地局を介しての通信などを行なう通信部１０３と、画像データや文字データなどを記憶する記憶部１０４と、各種情報を表示する表示部１０５と、受信した音声などを出力するスピーカー１０６と、音声などを入力するマイク１０７と、携帯電話機１０の各部に電源を供給するためのバッテリー１０８と、静止画や動画などの映像を撮影するカメラ１０９と、画像データや文字データなどを送受信可能な赤外線データ送受信部１１０とを備えている。
【００８４】
そして、携帯電話機１０の記憶部１０４には、画像データを格納するための画像フォルダが設けられており、その画像フォルダに撮影された静止画や動画などの画像データが保存されている。
【００８５】
更に、画像フォルダに保存された画像データは、それぞれの画像毎に、フラグ・フォト番号・日時・タイトル・画像サイズ・ファイルの種類・画像データ等のフィールドを有するレコードにより管理され、そのうち、フラグ欄はその画像が自携帯のカメラで撮影した映像であるか、又は、他からダウンロードされた映像であるかが判断され、その結果、他からダウンロードされた映像であると判断された場合には、著作権・肖像権保護の目的でフラグが立ち、その画像の転送を禁止する。フォト番号欄は画像毎に割り当てられたユニークな番号を格納する。日時欄は画像を撮影した日時データを格納する。タイトル欄はデフォルトではブランクであるが、利用者（本プリントシステムを利用する者を意味する。）によりその画像のタイトルが付与された場合にそのタイトルデータを格納する。画像サイズ欄は画像データのサイズを格納する。ファイルの種類欄は保存された画像データのファイル形式（例えば、ＪＰＥＧ、ＰＮＧ、ビットマップ、ＭＰＥＧ等）情報を格納する。画像データ欄には実際のデジタル画像データを格納する。
【００８６】
次に、プリント装置２０は、公衆電話回線網や専用回線等の通信回線を介してチケット販売会社３１に設置された予約受付サーバー３０と接続可能であり、且つ、予約受付サーバー３０との間での各種データの送受信が可能である。更に、プリント装置２０は、携帯電話機１０から赤外線データ通信により画像データや文字データ等を受信することが可能であって、これら受信データの修正・加工等が表示画面（タッチパネル画面）上で可能であると共に、それらをシール用紙等の任意の用紙に印刷することができるものであれば良い。また、プリント装置２０と予約受付サーバー３０との接続方法は、有線、無線のいずれの方法でも良い。更に、プリント装置２０には、携帯電話機１０の表示部１０５に表示された画像データや文字データ等を読み取り可能なバーコードリーダーやＣＣＤカメラやＯＣＲ（オプティカル・キャラクタ・リーダ）等の読取装置が通信ケーブル等により接続されていても良い。
【００８７】
ここで、プリント装置２０の構成について、図４のイメージ図、及び、図５の概略ブロック図に基づいて説明する。プリント装置２０は、プリント装置２０の全体を制御する制御部２０１と、タッチパネル式の表示部２０２と、印刷を行なう画像の編集等に用いる各種データ等を記憶する記憶部２０３と、メモリ２０４と、画像データや文字データ等を送受信可能な赤外線データ送受信部２０５と、印刷処理を行う印刷部２０６と、お金の投入を受付ける金銭投入部２０７と、赤外線データ送受信部２０５で受信したテキスト形式の画像データをＪＰＥＧ（ｊｏｉｎｔ  ｐｈｏｔｏｇｒａｐｈｉｃ  ｅｘｐｅｒｔｓ  ｇｒｏｕｐ）形式等に変換処理するデータ変換処理部２０８と、公衆回線網又は専用回線を介して予約受付サーバー３０と通信する通信部２０９と、印刷したシール用紙等を排出する用紙排出部２１０とを備えている。また、コントロールレバーや各種ボタン等の入力部や、スピーカーや、マイクや、無停電電源ユニット（ＵＰＳ）等を適宜備えても良い。
【００８８】
そして、プリント装置２０の記憶部２０３には、記念チケットに用いるレイアウト・書体（江戸文字、演芸文字、相撲文字等）・背景・前景フレーム等のデータを保存蓄積したデータベースや、プリント装置２０の利用された日時・利用時間・利用者により選択されたシールレイアウトや背景の種類等に関する各種情報を保存蓄積するための履歴データベースが構築されている。そして、この履歴データベースに保存蓄積された情報は、後に、集計業務やマーケティング等に利用される。また、プリント装置２０の記憶部２０３には、これらのデータベースの他に、予約受付サーバー３０から送信された予約番号データに関する情報（予約されたチケットに関する文字データや、その予約番号データと対応付けられた１又は複数の画像データや文字データ等）を保存蓄積するデータベースが構築されている。
【００８９】
また、プリント装置２０の用紙排出部２１０より排出される記念チケットの一種であるオリジナル画像入りシール２１の一例を図６及び図７のイメージ図に基づいて説明する。プリント装置２０により編集され、印刷され、排出される記念チケットの一種であるオリジナル画像入りシール２１は、図６のように、１枚のシール用紙中に、予約番号データに基づき表示・印刷されるイベント名・開催場所・開催日・開場時間・開演時間・座席種別（Ｓ席・Ａ席・アリーナ席等）・座席番号・チケット金額等の文字データと、チケットを予約した利用者の氏名やニックネーム等の文字データが印刷される文字データ印刷スペースと、イベントの開催者により決定されたそのイベントのオリジナル画像（例えば、利用者にとって入手困難なイベント風景等のプレミアム画像等）が印刷される画像データ印刷スペース１と、イベントの開催者により複数のオリジナル画像が提供（表示）され、その中から利用者により選択された画像や、若しくは、利用者１１の携帯電話機１０のカメラで撮影した画像データを赤外線データ通信により送信し、編集された画像データ等を組み合わせて印刷することが可能な画像データ印刷スペース２とにより構成され、図７のような画像の入った記念チケットとして印刷される。
【００９０】
予約受付サーバー３０は、予約受付サーバー３０の全体を制御する制御部と、予約及び／又は購入されたチケットに関するデータを記憶する記憶部と、メモリと、記憶部に保存蓄積したデータをインターネット等の公衆回線網又は専用回線を介してプリント装置２０や携帯電話機１０へ送信可能な通信部とを備えている。
【００９１】
予約受付サーバー３０の記憶部に記憶された予約及び／又は購入されたチケットに関するデータとは、チケットに相当する電子化されたデジタルデータである電子チケットデータと、予約券に相当する電子化されたデジタルデータである予約番号データとを含むデータを指し、電子チケットデータには、購入されたチケットを特定可能な複数桁の数字やアルファベット等で構成された購入チケット識別番号と、予約日時・それぞれのイベントを特定可能なイベント番号・イベント名・開催場所・開催日・開場時間・開演時間・座席種別（Ｓ席・Ａ席・アリーナ席等）・座席番号・チケット金額・決済方法・購入者の連絡先電話番号・電子チケットデータの送信先電子メールアドレス（携帯電話機の電子メールアドレス）や、当該電子チケットデータと対応付けられた画像データ（１又は複数のそのイベントのオリジナル画像（例えば、イベント風景画像や歌手の顔写真等）や広告性のある画像）や文字データ（１又は複数のイベントのキャッチコピーや広告性のある文字等）等が対応付けられて記憶され、更に、その電子チケットデータが有効であるか否かの認証処理に用いるデータであるバーコードや画像や音声等に関するデータが必要に応じて対応付けられて記憶されている。
【００９２】
上述の電子チケットデータが有効であるか否かの認証処理に用いるデータは、例えば、電子チケットデータの認証をコンサート会場４２にて携帯電話機１０から入場管理用端末４０に接続された赤外線データ受信部４１に送信し、受信した赤外線データ（購入チケット識別番号）により認証を行なうような認証方法の場合には、不要であるため、バーコードや画像や音声等のかたちで記憶する必要がない。
【００９３】
また、上述の電子チケットデータは、コンサートやスポーツ観戦等のイベントの入場券に限定されず、演劇の鑑賞券、美術展の入場券、鉄道や航空機の乗車券・搭乗券・定期券・入場券・周遊券等のチケットやホテルの宿泊券等の予約及び／又は発券を行なう各種チケットに用いることができる。
【００９４】
更に、上述の電子チケットデータの購入チケット識別番号には、同一イベントの複数の座席番号や、同一の購入者による複数のイベントの座席等を割り当てることが可能である。従って、１回の予約で複数人分（複数枚）のチケットを購入することや、１回の予約で複数イベントのチケットの購入が可能となる。
【００９５】
そして、予約番号データには、予約されたチケットを特定可能な複数桁の数字やアルファベット等で構成された予約チケット識別番号と、予約日時・それぞれのイベントを特定可能なイベント番号・イベント名・開催場所・開催日・開場時間・開演時間・座席種別（Ｓ席・Ａ席・アリーナ席等）・座席番号・チケット金額・購入期限・予約者の連絡先電話番号・予約番号データの送信先電子メールアドレス（携帯電話機の電子メールアドレス）や、当該予約番号データと対応付けられた画像データ（１又は複数のそのイベントのオリジナル画像（例えば、イベント風景画像や歌手の顔写真等）や広告性のある画像）や文字データ（１又は複数のイベントのキャッチコピーや広告性のある文字等）等が対応付けられて記憶され、更に、その予約番号データが有効であるか否かの認証処理に用いるデータであるバーコードや画像や音声等に関するデータが必要に応じて対応付けられて記憶されている。
【００９６】
上述の予約番号データが有効であるか否かの認証処理に用いるデータは、例えば、予約番号データの認証をそのチケットを発券するコンビニエンスストア５１にて携帯電話機１０からＰＯＳ端末５０に装備された赤外線データ受信部に送信し、受信した赤外線データ（予約チケット識別番号）により認証を行なうような認証方法の場合には、不要であるため、バーコードや画像や音声等のかたちで記憶する必要がない。
【００９７】
また、上述の予約番号データは、コンサートやスポーツ観戦等のイベントの入場券に限定されず、演劇の鑑賞券、美術展の入場券、鉄道や航空機の乗車券・搭乗券・定期券・入場券・周遊券等のチケットやホテルの宿泊券等の予約及び／又は発券を行なう各種チケットに用いることができる。
【００９８】
更に、上述の予約番号データの予約チケット識別番号には、同一イベントの複数の座席番号や、同一の購入者による複数のイベントの座席等を割り当てることが可能である。従って、複数人分（複数枚）のチケットを１回で予約することや、複数のイベントチケットを１回で予約することが可能となる。
【００９９】
なお、本実施例において説明の便宜上「予約番号データ」と呼んでいるものを例えば、「問合せ番号データ」等の別の名称で呼んで良いことは勿論である。
【０１００】
ＰＯＳ端末５０は、ＰＯＳ端末５０の全体を制御する制御部と、予約番号データによるチケットの代金決済及び／又は発券にかかわるデータを記憶する記憶部と、メモリと、公衆回線網又は専用回線を介して予約受付サーバー３０とデータの送受信を行なうための通信部とを備え、更に、適宜バーコードリーダーやＣＣＤカメラ等の読取装置や携帯電話機１０からの赤外線データを受信可能な赤外線データ受信部等が装備されている。
【０１０１】
続いて、本実施例に係る記念チケット印刷システムの主な処理の流れを図１３乃至１５に基づいて説明する。
【０１０２】
先ず、利用者１１は、携帯電話機１０の通信手段を用いてインターネット等の公衆回線網等を介して予約受付サーバー３０にアクセスし、予約受付サーバー３０のＷｅｂページ上等から利用者１１の所望するコンサート等のイベントのチケットの空席確認を行ない、空席があることを確認した後、そのチケットを予約する旨の処理を行なうと、予約受付サーバー３０は、利用者１１から予約する旨の処理のあったチケットの代金を算出し、算出したチケット代金と予約されたチケットの内容（イベント名・開催場所・開催日時・座席種別（Ｓ席・Ａ席・アリーナ席等）・座席番号等）と利用者１１の購入の意志を確認するための文章及び／又は確認ボタン等と予約番号データの送信先アドレスの入力を促す文章とを表示する。
【０１０３】
そこで、利用者１１の携帯電話機１０の入力手段により予約番号データの送信先アドレスの入力がなされ、更に、チケットの予約を確定する旨の処理（例えば、表示部に表示された確認ボタンを押す等）がなされると、予約受付サーバー３０は、予約チケット識別番号を発行（生成）し、利用者１１により指定された携帯電話機１０の電子メールアドレス宛てにその予約チケット識別番号を含む予約番号データが添付された電子メールの送信を行なう。
【０１０４】
この予約受付サーバー３０より送信された予約番号データは、予約されたチケットを特定可能な複数桁の数字やアルファベット等で構成された予約チケット識別番号データのみで良いが、必要に応じて、その予約番号データが有効であるか否かの認証処理に用いるデータである当該予約チケット識別番号データに対応付けられて記憶されたバーコードや画像や音声等に関するデータが加されたものであっても良い。
【０１０５】
また、予約受付サーバー３０において、予約チケット識別番号が、利用者１１により決められた暗証コード（暗証番号）や利用者１１により入力された連絡先電話番号等の利用者の個人情報データ等と対応付けられて管理されていても良い。
【０１０６】
続いて、予約受付サーバー３０から送信された電子メールに添付された予約番号データを携帯電話機１０により受信した利用者１１は、受信した予約チケット識別番号を含む予約番号データを赤外線データ通信により携帯電話機１０の赤外線データ送受信部１１０からプリント装置２０の赤外線データ送受信部２０５へ送信する。
【０１０７】
この赤外線データ通信に用いられる通信プロトコルは、ＩｒＭＣである。ＩｒＭＣは、ＩｒＤＡ（Ｉｎｆｒａｒｅｄ  Ｄａｔａ  Ａｓｓｏｃｉａｔｉｏｎ）で規定されるデータ通信プロトコルのひとつで、モバイルコミュニケーション用に開発された汎用的なファイル転送機能を提供する規格である。
【０１０８】
また、この赤外線データ送信時は、携帯電話機１０の赤外線データ送受信部１１０とプリント装置２０の赤外線送受信部２０５とを、間に障害物を介さないかたちで、且つ、２０ｃｍ以内の距離で、対面させる状態で数秒間（５秒程度）動かさずに保持し、受信完了を待つのが望ましい。
【０１０９】
また、携帯電話機１０からプリント装置２０への予約チケット識別番号を含む予約番号データの送信を赤外線データ通信以外の方法（例えば、携帯電話機１０の表示部１０５に予約チケット識別番号と対応付けられたバーコード等の画像データを表示し、その画像データをプリント装置２０と通信ケーブルにより接続されたバーコードリーダーやＣＣＤカメラやＯＣＲ等の読取装置により読み取る方法等）を用いて行なっても良い。
【０１１０】
続いて、予約チケット識別番号を含む予約番号データを送信されたプリント装置２０は、その予約番号データを受信し（ステップＳ７５１）、記憶部２０３に記憶する。
【０１１１】
そして、記憶部２０３に記憶した予約チケット識別番号を含む予約番号データを通信部２０９より公衆回線網又は専用回線等により接続された予約受付サーバー３０へ送信する。
【０１１２】
予約受付サーバー３０は、送信された予約チケット識別番号を含む予約番号データを受信し、記憶部に記憶する。
【０１１３】
そして、その記憶した予約番号データに含まれた予約チケット識別番号データに基づき、記憶部に記憶された予約チケットデータベースの予約されたチケットに関するデータの中から、その予約チケット識別番号と一致するチケットに関するデータを判別し（ステップＳ７５２）、続いて、その予約チケット識別番号と対応付けられたイベント名・開催場所・開催日・開場時間・開演時間・座席種別（Ｓ席・Ａ席・アリーナ席等）・座席番号・チケット金額等の文字データと、イベントの開催者により決定されたそのイベントのオリジナル画像データと、イベントの開催者により提供された複数のオリジナル画像データとを読出し（抽出し）、それらの読出した（抽出した）文字データや画像データを通信回線を介して接続されたプリント装置２０へ送信する。
【０１１４】
そして、プリント装置２０は、それらのデータ受信し、受信したデータをプリント装置２０の表示部（タッチパネル）２０２に表示する。その際に、プリント装置２０は、受信したデータのうち、イベント名・開催場所・開催日・開場時間・開演時間・座席種別（Ｓ席・Ａ席・アリーナ席等）・座席番号・チケット金額等の文字データを表示部に表示された記念チケットレイアウトの下部の文字データ印刷スペース部分に表示し、同時に、当該予約チケット識別番号と対応付けられた画像データのうち、イベントの開催者により決定されたそのイベントのオリジナル画像データを記念チケットレイアウトの左上部の画像データ印刷スペース１部分に表示する（ステップＳ７５３）。
【０１１５】
仮に、ステップＳ７５２のデータ判別処理において、予約チケット識別番号データと一致するデータが存在しなかった場合には、表示部２０２にその旨を文字にて表示する。
【０１１６】
更に、同じ表示画面上に、印刷する記念チケットに利用者１１の名前やニックネーム等を入力するか否かを利用者１１に選択させるための文字表示（例えば、「記念チケットにあなたの名前を印刷しますか？」等）と選択ボタン（例えば、「ＹＥＳ」ボタンと「ＮＯ」ボタン）とを表示し（ステップＳ７５４）、利用者１１によりプリント装置２０のタッチパネル上で「ＹＥＳ」ボタンが押された場合には、プリント装置２０は、その表示部２０２に、記念チケットに印刷する名前やニックネーム等を携帯電話１０の記憶部１０４に記憶された文字データを赤外線データ通信により送信し使用するか、又は、利用者１１がタッチパネルをタッチして入力するかを利用者１１に選択させるための文字表示（例えば、「携帯電話から名前データを送信しますか？」等）と選択ボタン（例えば、「ＹＥＳ」ボタンと「ＮＯ」ボタン）とを表示し（ステップＳ７５５）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された名前やニックネームに関するデータを受信し（ステップＳ７５６）、受信したデータをその他の記念チケットデータと合成し、図７のように表示部２０２に表示された記念チケットレイアウトの下部の文字データ印刷スペース部分の最下行の名前欄に確認表示する（ステップＳ７５８）。
【０１１７】
また、ステップＳ７５４で表示されたボタンのうち、「ＮＯ」ボタンが押された場合には、プリント装置２０は、この記念チケットには名前やニックネーム等の印刷を行なわないと判断し、記念チケットレイアウトの下部の文字データ印刷スペース部分の名前欄をブランクで確認表示する（ステップＳ７５８）。この場合、図７にある名前欄のタイトルである「氏名：」という表示も行なわない。
【０１１８】
また、ステップＳ７５５で表示されたボタンのうち、「ＮＯ」ボタンが押された場合には、プリント装置２０は、利用者１１による名前やニックネーム等の入力がタッチパネル上で文字を入力（指定）する方法で行なわれると判断し、その後、利用者１１により入力（指定）された名前やニックネーム等に関する文字データを記憶し（ステップＳ７５７）、記憶したデータをその他の記念チケットデータと合成し、図７のように表示部２０２に表示された記念チケットレイアウトの下部の文字データ印刷スペース部分の最下行の名前欄に確認表示する（ステップＳ７５８）。
【０１１９】
次に、ステップＳ７５８で表示された確認画面上で利用者１１からの表示内容に関する承諾（例えば、タッチパネル上の「承諾」ボタン等を押す）があると、プリント装置２０は、表示部２０２に、画像データ印刷スペース２を分割なしで全スペースを１区画として使用するか、又は、４分割にしてそれぞれの区画に異なる画像データを表示させて使用するかを利用者１１に選択させるための文字表示（例えば、「画像データ印刷スペース２を１区画（全スペース）で使用しますか？」等）と選択ボタン（例えば、「ＹＥＳ」ボタンと「ＮＯ」ボタン）とを表示し（ステップＳ７６１）、利用者１１によりプリント装置２０のタッチパネル上で「ＹＥＳ」ボタンが押された場合には、プリント装置２０は、画像データ印刷スペース２を１区画（全スペース）で使用するものと判断し（ステップＳ７６２）、表示部２０２に、画像データ印刷スペース２に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７６３）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７６４）、受信したデータをその他の記念チケットデータと合成し、画像データ印刷スペース２部分に確認表示する（ステップＳ７９１）。
【０１２０】
また、ステップＳ７６３で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７６５）オリジナル画像に関する画像データを記憶し、記憶したデータをその他の記念チケットデータと合成し、画像データ印刷スペース２部分に確認表示する（ステップＳ７９１）。
【０１２１】
また、ステップＳ７６１で表示されたボタンのうち、「ＮＯ」ボタンが押された場合には、プリント装置２０は、画像データ印刷スペース２を４分割にしてそれぞれの区画に異なる画像データを表示させて使用するものと判断し（ステップＳ７７１）、表示部２０２に、画像データ印刷スペース２を４分割し、それぞれをＡ区画（スペースＡ）、Ｂ区画（スペースＢ）、Ｃ区画（スペースＣ）、Ｄ区画（スペースＤ）とし、先ず、Ａ区画（スペースＡ）に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７７２）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７７３）、受信したデータを記憶部２０３に記憶する。
【０１２２】
また、ステップＳ７７２で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７７４）オリジナル画像に関する画像データを記憶部２０３に記憶する。
【０１２３】
続いて、プリント装置２０は、Ｂ区画（スペースＢ）に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７７５）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７７６）、受信したデータを記憶部２０３に記憶する。
【０１２４】
また、ステップＳ７７５で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７７７）オリジナル画像に関する画像データを記憶部２０３に記憶する。
【０１２５】
続いて、プリント装置２０は、Ｃ区画（スペースＣ）に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７７８）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７７９）、受信したデータを記憶部２０３に記憶する。
【０１２６】
また、ステップＳ７７８で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７８０）オリジナル画像に関する画像データを記憶部２０３に記憶する。
【０１２７】
続いて、プリント装置２０は、Ｄ区画（スペースＤ）に表示する画像データを携帯電話１０のカメラ１０９により撮影され、記憶部１０４に記憶された画像データを赤外線データ通信により送信し使用するか、又は、イベントの開催者により提供（表示）される複数のオリジナル画像データの中から選択し使用するかを利用者１１に選択させるための文字表示（例えば、「携帯電話に保存した画像データを送信しますか？」等）と選択ボタン（例えば、「ＹＥＳ」ボタンと「ＮＯ」ボタン）とを表示し（ステップＳ７８１）、利用者１１によりプリント装置２０のタッチパネル上で「ＹＥＳ」ボタンが押された場合には、プリント装置２０の表示部２０２に「赤外線データ送信してください。」等の文字表示を行ない、その後、携帯電話機１０から赤外線データ送信された画像データを受信し（ステップＳ７８２）、受信したデータを記憶部２０３に記憶する。
【０１２８】
また、ステップＳ７８１で表示されたボタンのうち、「ＮＯ」ボタンが押された場合には、プリント装置２０は、利用者１１によるイベント開催者から提供された複数のオリジナル画像の中からの所望する画像データの選択がタッチパネル上で画像を選択（指定）する方法で行なわれると判断し、その後、利用者１１により選択（指定）された（ステップＳ７８３）オリジナル画像に関する画像データを記憶部２０３に記憶する。
【０１２９】
そして、区画Ａ、Ｂ、Ｃ、Ｄの４区画に表示される４つの異なる画像データが選択（指定）されると、プリント装置２０は、記憶部２０３に記憶した４つの画像データをその他の記念チケットデータと合成し、図７のように表示部２０２に表示された記念チケットレイアウトの右上部の画像データ印刷スペース２部分に同時に確認表示する（ステップＳ７９１）。
【０１３０】
次に、ステップＳ７９１で表示された確認画面上で利用者１１からの表示内容に関する承諾（例えば、タッチパネル上の「画像決定」ボタン等を押す）があり、印刷される記念チケットの文字データと画像データが決定されると（ステップＳ７９２）、プリント装置２０は、表示部２０２に、この記念チケットの印刷代金（例えば、「コイン投入口へ２００円入れてください。」等）の表示を行なう課金処理を行ない（ステップＳ７９３）、金銭投入部２０７へ利用者１１からの印刷料金の投入があったと判断されると、ステップＳ７９２にて決定された記念チケットを印刷部２０６にて印刷し（ステップＳ７９４）、印刷に用いたシール用紙がロール紙タイプの場合には、そのシール用紙をカットし、その後、カットしたシール用紙を用紙排出部２１０より排出する（ステップＳ７９５）。
【０１３１】
このステップＳ７９４の印刷処理の際に、ステップＳ７９２にて決定された記念チケットのシール用紙の下部の余白部分に「＜注意＞このチケットは記念品です。このチケットでは入場できません。」等の注意書きを記載し、あくまでイベント参加者の記念品としての使用（保存）を目的として印刷しても良い。
【０１３２】
記念品としての記念チケットの印刷を行なう場合、プリント装置２０の表示部２０２には、予約チケット識別番号や認証処理に用いるデータであるバーコードや認証画像等の文字データ及び／又は画像データを表示せずに、印刷される記念チケットにも、予約チケット識別番号や認証処理に用いるデータであるバーコードや認証画像等の文字データ及び／又は画像データを印刷しないのが望ましい。
【０１３３】
また、ステップＳ７５２のデータ判別処理の際に、受信した予約番号データに含まれた予約チケット識別番号と一致するチケットに関するデータを判別すると共に、当該予約チケット識別番号のチケット代金が決済済みであるか否かの判別を行ない、この判別の結果が「決済済みである」と判別された場合には、該予約番号データに含まれた予約チケット識別番号に対応付けられた文字データ及び／又は画像データを通信回線を介して接続されたプリント装置２０へ送信し、一方、判別の結果が「決済済みでない（未決済）」と判別された場合には、該予約番号データに含まれた予約チケット識別番号に対応付けられた文字データ及び／又は画像データを通信回線を介して接続されたプリント装置２０へ送信せずに、プリント装置２０へ「チケット購入後に記念チケットを印刷してください。」等の文字データを送信し、予約したチケットの購入（代金支払い・チケット入手）を完了した利用者にのみ記念チケット２１の印刷を許可する構成にするのが望ましい。
【０１３４】
なお、チケット代金が決済済みであるか否かの判別は、予約チケットデータにチケット代金が決済済みであるか否かの判別用のフラグを設けて、決済処理が行なわれた場合にそのフラグを立てて、決済済みが判別できる状態に設定する等の方法で行なうのが望ましい。
【０１３５】
また、「決済済みである」と判断された予約チケット識別番号に基づき記念チケットの印刷を行なう利用者に対しては、記念品としての使用（保存）だけでなく、実際にイベント等への入場を可能とする記念チケットの印刷を行なっても良い。
【０１３６】
また、記念チケット２１の印刷に用いるロール紙タイプ等の用紙に、予め、印刷された記念チケット２１を複写機でカラーコピーした場合、例えば、「これは、コピーチケットです。」、「ＤＯ  ＮＯＴ  ＣＯＰＹ」等の不正コピーを防止するための文字や図形等による表示がコピー元用紙及び／又はコピー先用紙に浮き出る（印刷される）ような加工を施しておいても良い。
【０１３７】
また、印刷される記念チケット２１のサイズやレイアウト等は、図６、７に記載のサイズやレイアウトに限らず、適宜変更することができる。
【０１３８】
また、記念チケット２１には、歌手やプロスポーツ選手等の写った画像が印刷されることが予想されるが、その場合には、記念チケットの印刷に使用した画像の肖像権使用料やキャラクタ使用料等のロイヤリティを記念チケット印刷代金の中から捻出し、権利保有者へ支払うのが望ましい。
【０１３９】
また、上述した本実施例の記念チケット印刷システムの各工程以外に、例えば、文字データ印刷スペースの背景柄を付ける編集を行なう工程を加したり、選択した画像データにタッチパネル上より利用者１１によるペン入力の文字や記号や絵等の落書き編集を行ない、表示した画像データへ合成し表示させる工程を加するなどのアプリケーションの追加を適宜行なっても良い。
【０１４０】
また、本実施例では、イベントの一種であるコンサートの予約番号データを用いた記念チケット印刷システム及び記念チケット印刷方法の一例を説明したが、この予約番号データは、コンサートチケットに限らず、スポーツ観戦チケットや、電車の乗車券・定期券、飛行機の航空券、ホテルの宿泊予約券、遊園地の入園券、映画の鑑賞券等の各種チケットに応用することが可能である。
【０１４１】
以上説明した、本実施例に係る記念チケット印刷システム及び記念チケット印刷方法によれば、コンサートやスポーツ観戦等の各種イベントの入場券や鉄道や航空機の乗車券・搭乗券等の各種チケットを予約し、その予約番号データを自己の有する携帯電話機にて受信した利用者が、その予約番号データをプリント装置へ赤外線データ送信し、それらイベントへの参加や乗車・搭乗等の記念となる保存に適したオリジナル画像入りシール（記念チケット）を容易に印刷することが可能となる。これにより、利用者にとっては、楽しみながら記念品として保存できる記念チケットを印刷することが可能になり、また、イベント主催者やチケット販売会社にとっては、記念チケットにオリジナル画像等を印刷することで今までなかった宣伝広告効果を得ることができ、且つ、今までなかった著作権料等の新規収入を得ることも可能となる。
【０１４２】
【発明の効果】
以上説明したように本発明によれば、コンサートやスポーツ観戦等の各種イベントの入場券や鉄道や航空機の乗車券・搭乗券等の各種チケットを予約又は購入し、その予約番号データ又は電子チケットデータを自己の有する携帯電話機にて受信した利用者が、その予約番号データ又は電子チケットデータをプリント装置へ赤外線データ送信し、それらイベントへの参加や乗車・搭乗等の記念となる保存に適したオリジナル画像入りシール（記念チケット）を容易に印刷することが可能となる。
【図面の簡単な説明】
【図１】従来の電子チケット発行システムのイメージ図である。
【図２】第１の実施の形態の記念チケット印刷システムのイメージ図である。
【図３】カメラ機能を有した携帯電話機の構成の概略ブロック図である。
【図４】プリント装置のイメージ図である。
【図５】プリント装置の構成の概略ブロック図である。
【図６】シール用紙に印刷されるデータのレイアウトの一例を示したイメージ図である。
【図７】シール用紙に印刷されたデータのレイアウトの一例を示したイメージ図である。
【図８】本発明に係る第１の実施の形態の記念チケット印刷システムの主な流れを示した図である。
【図９】本発明に係る第１の実施の形態の記念チケット印刷システムの主な流れを示した図である。
【図１０】本発明に係る第１の実施の形態の記念チケット印刷システムの主な流れを示した図である。
【図１１】従来のチケット予約システムのイメージ図である。
【図１２】第２の実施の形態の記念チケット印刷システムのイメージ図である。
【図１３】本発明に係る第２の実施の形態の記念チケット印刷システムの主な流れを示した図である。
【図１４】本発明に係る第２の実施の形態の記念チケット印刷システムの主な流れを示した図である。
【図１５】本発明に係る第２の実施の形態の記念チケット印刷システムの主な流れを示した図である。
【符号の説明】
１０  携帯電話機
１１  利用者
１０１  制御部
１０２  入力部
１０３  通信部
１０４  記憶部
１０５  表示部
１０６  スピーカー
１０７  マイク
１０８  バッテリー
１０９  カメラ
１１０  赤外線送受信部
２０  プリント装置
２１  オリジナル画像入りシール（記念チケット）
２０１  制御部
２０２  表示部（タッチパネル）
２０３  記憶部
２０４  メモリ
２０５  赤外線送受信部
２０６  印刷部
２０７  金銭投入部
２０８  データ変換処理部
２０９  通信部
２１０  用紙排出部
３０  予約受付サーバー
３１  チケット販売会社
４０  入場管理端末
４１  バーコードリーダーやＣＣＤカメラや赤外線データ受信部
４２  コンサート会場
５０  ＰＯＳ端末
５１  コンビニエンスストア
【図１】
2005011041.tif 000003
【図２】
2005011041.tif 000004
【図３】
2005011041.tif 000005
【図４】
2005011041.tif 000006
【図５】
2005011041.tif 000007
【図６】
2005011041.tif 000008
【図７】
2005011041.tif 000009
【図８】
2005011041.tif 000010
【図９】
2005011041.tif 000011
【図１０】
2005011041.tif 000012
【図１１】
2005011041.tif 000013
【図１２】
2005011041.tif 000014
【図１３】
2005011041.tif 000015
【図１４】
2005011041.tif 000016
【図１５】
2005011041.tif 000017